(57)【要約】      （修正有）【課題】液体内容器を収納体から簡単に取り出せるようにして液体内容器の交換による液状内容物の詰め替え作業を容易に行えるようにし、かつ、液体内容器を収納する収納体の小型化を可能にした詰め替え容器を提供する。【解決手段】内容器５と収納体７と、内容器５を収納した収納体７に嵌合し収納体７を閉じるとともに内容器５の一部を収納する蓋体８と、取り出し手段９とを備えた詰め替え容器であって、蓋体８内に収納されている内容器５を蓋体８の開口部６２から引き出すときの抵抗力をＸ１とし、内容器５が自重で蓋体８の開口部６２から落下しない下限抵抗力をＸ２とし、蓋体８に収納されている内容器５を内容物が消尽された状態で蓋体８の開口部６２から引き出し可能な上限抵抗力をＸ３としたとき、蓋体８内に収納されている内容器５を蓋体８の開口部６２から引き出すときの抵抗力Ｘ１が、下記の計算式の範囲内に設定されている。Ｘ２≦Ｘ１≦Ｘ３【選択図】図１
2019055804.tif 000002
【特許請求の範囲】
【請求項１】
内部に内容物を収容し、内容物の消尽時に交換される内容器と、収納口を有し、前記内容器を収納する収納体と、前記内容器を収納した前記収納体に嵌合し前記収納体を閉じるとともに前記内容器の一部を収納する筒状の蓋体と、前記収納体に収納された前記内容器に収容されている内容物を取り出す取り出し手段とを備えた詰め替え容器であって、
前記蓋体内に収納されている前記内容器を前記蓋体の開口部から引き出すときの抵抗力をＸ１とし、前記内容器が自重で前記蓋体の開口部から落下しない下限抵抗力をＸ２とし、前記蓋体に収納されている前記内容器を内容物が消尽された状態で前記蓋体の開口部から引き出し可能な上限抵抗力をＸ３としたとき、前記蓋体内に収納されている前記内容器を前記蓋体の開口部から引き出すときの抵抗力Ｘ１が、下記の計算式の範囲内に設定されていることを特徴とする詰め替え容器。
Ｘ２≦Ｘ１≦Ｘ３
【請求項２】
前記下限抵抗力Ｘ２は、内容物が消尽された状態の前記内容器で算出されたものであることを特徴とする請求項１に記載の詰め替え容器。
【請求項３】
前記下限抵抗力Ｘ２は、内容物が満杯に収容されている状態の前記内容器で算出されたものであることを特徴とする請求項１に記載の詰め替え容器。
【請求項４】
前記上限抵抗力Ｘ３は、前記蓋体に収納されている前記内容器を内容物が消尽された状態で、前記内容器を前記蓋体の開口部から無理なく引き出し可能な抵抗力として算出されたものであることを特徴とする請求項１から３までのいずれか１項に記載の詰め替え容器。
【発明の詳細な説明】
【技術分野】
【０００１】
本発明は、化粧品や洗剤などの液状内容物の詰め替えが可能な詰め替え容器に関する。
【背景技術】
【０００２】
従来、化粧品や洗剤などの液状の内容物の詰め替えが可能な詰め替え容器として、内部に内容物を収容し、内容物の消尽時に交換される内容器と、収納口を有し、内容器を収納する収納体と、内容器を収納した収納体に嵌合し、収納体を閉じる筒状の蓋体と、収納体に収納された内容器に収容されている内容物を取り出す取り出し手段を備えた詰め替え容器がある（例えば、特許文献１、２参照。）。
特許文献１、２に記載されているような詰め替え容器は、内容物を消尽したら、収納体から蓋体を外し、収納体から内容器を取り出して、新しい内容器に交換することにより詰め替えを行っている。
【０００３】
一般に、内容物を収容する内容器は、収納体を必要以上に大きくしないように、収納体との間の隙間が小さい状態で収納体内に収納される大きさの形状に形成されているものが多い。そのため、液状内容物を消尽した内容器を収納体から取り出す作業が面倒である。
特許文献１に記載されている詰め替え容器では、内容器となる容器本体にネック部が形成され、ネック部に口部が設けられた形状となっているので、ネック部を摘まんで内容器を収納体から容易に取り出せる。また、特許文献２に記載されている詰め替え容器では、内容器のフラットな上面部に口栓が突出するように取り付けられているので、口栓を摘まんで内容器を収納体から容易に取り出せる。
【先行技術文献】
【特許文献】
【０００４】
【特許文献１】特開２００３−２５２３３８号公報
【特許文献２】実開平５−８１０５１号公報
【発明の概要】
【発明が解決しようとする課題】
【０００５】
しかしながら、特許文献１に記載されているような詰め替え容器では内容器に形成されているネック部を摘まみ、また、特許文献２に記載されているような詰め替え容器では内容器のフラットな上面部に取り付けられている口栓を摘まんで引き上げることにより、内容器を収納体から容易に取り出せるが、内容器に形成されているネック部や内容器のフラットな上面部に取り付けられている口栓の存在が内容器を収納する収納体内に無駄な空間を形成してしまうことになり、収納体を必要以上に大きくしてしまうといった問題がある。
また、内容器に形成されているネック部や内容器のフラットな上面部に取り付けられている口栓の存在が内容器の製造コストをアップさせるといった問題がある。
【０００６】
本発明の目的は、内容器を収納体から簡単に取り出せるようにして内容器の交換による内容物の詰め替え作業を容易に行えるようにし、かつ、内容器を収納する収納体の小型化を可能にした詰め替え容器を提供することにある。
【課題を解決するための手段】
【０００７】
上記の目的を達成するために、請求項１に記載の発明は、内部に内容物を収容し、内容物の消尽時に交換される内容器と、収納口を有し、前記内容器を収納する収納体と、前記内容器を収納した前記収納体に嵌合し前記収納体を閉じるとともに前記内容器の一部を収納する筒状の蓋体と、前記収納体に収納された前記内容器に収容されている内容物を取り出す取り出し手段とを備えた詰め替え容器であって、前記蓋体内に収納されている前記内容器を前記蓋体の開口部から引き出すときの抵抗力をＸ１とし、前記内容器が自重で前記蓋体の開口部から落下しない下限抵抗力をＸ２とし、前記蓋体に収納されている前記内容器を内容物が消尽された状態で前記蓋体の開口部から引き出し可能な上限抵抗力をＸ３としたとき、前記蓋体内に収納されている前記内容器を前記蓋体の開口部から引き出すときの抵抗力Ｘ１が、下記の計算式の範囲内に設定されていることを特徴とする。
Ｘ２≦Ｘ１≦Ｘ３
【０００８】
請求項１に記載の発明によれば、 Ｘ２≦Ｘ１≦Ｘ３なので、前記内容器を収納した前記収納体から前記蓋体を外したとき、前記蓋体内に収納されている前記内容器は前記蓋体と一体となって前記収納体から取り出され、前記蓋体の開口部を下に向けても、前記内容器は前記蓋体から落下しない。そして、内容物が消尽された前記内容器を前記蓋体の開口部から確実に引き出すことができる。
【０００９】
請求項２に記載の発明は、請求項１に記載の、前記下限抵抗力Ｘ２は、内容物が消尽された状態の前記内容器で算出されたものであることを特徴とする。
【００１０】
請求項２に記載の発明によれば、前記下限抵抗力Ｘ２は、内容物が消尽された状態の前記内容器で算出されたものであるので、内容物が消尽された後に前記収納体から前記蓋体を外したとき、前記内容器が前記蓋体内から自重で落下せず、かつ前記蓋体内に収納されている前記内容器は前記蓋体と一体となって前記収納体から確実に取り出すことができる。
【００１１】
請求項３に記載の発明は、請求項１に記載の、前記下限抵抗力Ｘ２は、内容物が満杯に収容されている状態の前記内容器で算出されたものであることを特徴とする。
【００１２】
請求項３に記載の発明によれば、前記下限抵抗力Ｘ２は、内容物が満杯に収容されている状態の前記内容器で算出されたものであるので、前記内容器に内容物が満杯に収容されている状態で前記収納体から前記蓋体を外したとき、前記内容器が前記蓋体内から自重で落下せず、かつ前記蓋体内に収納されている前記内容器は前記蓋体と一体となって前記収納体から確実に取り出すことができる。
【００１３】
請求項４に記載の発明は、請求項１から３までのいずれか１項に記載の、前記上限抵抗力Ｘ３は、前記蓋体に収納されている前記内容器を内容物が消尽された状態で、前記内容器を前記蓋体の開口部から無理なく引き出し可能な抵抗力として算出されたものであることを特徴とする。
【００１４】
請求項４に記載の発明によれば、前記上限抵抗力Ｘ３は、前記蓋体に収納された前記内容器を内容物が消尽された状態で、前記内容器を前記蓋体の開口部から無理なく引き出し可能な抵抗力として算出されたものであるので、内容物が消尽された前記内容器を、前記蓋体の開口部から容易に且つ確実に引き出すことができる。
【発明の効果】
【００１５】
本発明に係る詰め替え容器によれば、内容器を新しい内容器に交換する詰め替え作業で収納体から蓋体を外したとき、収納体に収納されている内容器を蓋体と一体となって収納体から取り出すことができ、内容物が消尽された前記内容器を前記蓋体の開口部から引き出すことができるので、内容器の交換による内容物の詰め替え作業を容易に行うことができる。
また、内容器には、上面部に収納体からの取り出しの際の摘まみ部にもなる口栓等の突出部の必要がないので、内容器を収納する収納体内における無駄な空間を排除することができ、その分収納体の小型化が可能となる。
【図面の簡単な説明】
【００１６】
【図１】本発明に係る詰め替え容器の実施の形態の一例を示す分解断面図である。
【図２】図１に示す詰め替え容器における内容器を示す斜視図である。
【図３】図２のＡ−Ａ断面図である。
【図４】図２に示す内容器の組み立て加工前のカートンブランクを示す展開図である。
【図５】図２に示す内容器の上面部を形成する工程を示す説明図である。
【図６】図２に示す内容器の上面部を形成する工程を示す説明図である。
【図７】内容器を収納した収納体を蓋体で閉じた状態を示す断面図である。
【図８】内容器を収納した収納体から蓋体を外す状態を示す断面図である。
【図９】蓋体内に収納されている内容器を蓋体から取り出す状態を示す断面図である。
【図１０】蓋体に設けられた接触部の他例を示す概略横断面図である。
【図１１】内容器に設けられた接触部の一例を示す断面図である。
【図１２】蓋体と内容器に設けられた接触部の一例を示す断面図である。
【図１３】収納体の他例を示す斜視図である。
【発明を実施するための形態】
【００１７】
以下、本発明に係る詰め替え容器の実施の形態の一例を図面を参照して詳細に説明する。
図１は本例の詰め替え容器の分解断面図、図２は図１に示す詰め替え容器における内容器を示す斜視図、図３は図２のＡ−Ａ断面図、図４は図２に示す内容器の組み立て加工前のカートンブランクを示す展開図、図５は図２に示す内容器の上面部を形成する工程を示す説明図、図６は図２に示す内容器の上面部を形成する工程を示す説明図、図７は内容器を収納した収納体を蓋体で閉じた状態を示す断面図、図８は内容器を収納した収納体から蓋体を外す状態を示す断面図、図９は蓋体内に収納されている内容器を蓋体から取り出す状態を示す断面図、図１０は蓋体に設けられた接触部の他例を示す概略横断面図である。
【００１８】
本例の詰め替え容器１は、上面部２に破断可能な封止シート３で封止された吸い出し口４を有し、内部に液状の内容物を収容し、内容物の消尽時に交換される内容器５と、上部に収納口６を有し内容器５を収納する収納体７と、内容器５を収納した収納体７に嵌合し収納体７を閉じるとともに、収納体７に収納されている内容器５の一部を収納する筒状の蓋体８と、収納体７内に収納されている内容器５内の内容物を取り出す取り出し手段９とを備えている。
【００１９】
収納体７について説明すると、収納体７は、内容器５を固定できるものであれば、その形状に特に限定されない。
本例の収納体７は上部に収納口６を開口する筒状の収納容器１０となっている。収納容器１０は、内容器５の外形に応じた形状に形成されており、本例では、胴部断面形状が略正方形の筒状となっている。収納容器１０の長さは、収納容器１０内に内容器５を収納したとき、少なくとも、収納容器１０の収納口６から内容器５が突出し、収納容器１０の外で、内容器５の胴部１９の外面と収納体７を閉じた蓋体８の内面との対向面が存在する長さに設定されている。
【００２０】
蓋体８について説明すると、本例の蓋体８は収納容器１０の収納口６を閉じる天板部１３と収納容器１０の外周に嵌合するとともに、収納容器１０に嵌合したとき、収納容器１０に収納されている内容器５の一部を収納する筒壁部１４とで構成されている。
次に、収納体７内に収納されている内容器５内の内容物を取り出す取り出し手段９を説明すると、本例の取り出し手段９は、筒状シリンダ部１６と、筒状シリンダ部１６の上部に設けられ、筒状シリンダ部１６内に摺動自在に嵌合するピストンの操作部を兼ねる注出ノズル１７と、筒状シリンダ部１６の下部に設けられた吸い込み管１８で構成された注出ポンプ９Ａである。
【００２１】
このように構成された取り出し手段９となる注出ポンプ９Ａは、本例では蓋体８に取り付けられている。具体的には、筒状シリンダ部１６が蓋体８の天板部１３に貫通して固定され、天板部１３の上面側に注出ノズル１７が配置され、天板部１３の下面側に吸い込み管１８が配置されている。そして、収納容器１０の外周に蓋体８の筒壁部１４を嵌合して収納容器１０の収納口６を閉じたとき、蓋体８の天板部１３の下面側に配置されている吸い込み管１８が収納容器１０内に収納されている内容器５の上面部２に有する封止シート３を破断して吸い出し口４から内容器５内へ挿入されるようになっている。
【００２２】
次に、内容器５について説明すると、本例の内容器５は、胴部１９の断面形状が略正方形となっており、収納容器１０内に納まる形状となっている。
【００２３】
本例の内容器５は、少なくとも片面に樹脂層を形成させた紙素材からなり、胴部縦折線２１，２２，２３を介して４つの胴部パネル２４，２５，２６，２７を備え、胴部パネル２７にシール縦折線２８を介して連設した縦方向シールパネル２９によって胴部パネル２４の縁部が接合されて四角の筒状に形成された胴部１９を有している。
【００２４】
内容器５の上面部２にあっては次のように構成されている。
胴部パネル２４，２６の上端に、頂部横折線３０，３１を介して互いに対向し上下に重ねられる一対の上面部形成パネル３２，３３が連設され、そして、上面部形成パネル３２の下側に重なる上面部形成パネル３３の上端には、上面部形成パネル３２の内面にシールされるシールパネル３４が連設されている。
【００２５】
また、胴部パネル２５，２７の上端に、前記した一対の上面部形成パネル３２，３３の間に位置して互いに対向し、一対の上面部形成パネル３２，３３の重ね合わせに伴って折り畳まれる一対の側面パネル３５，３６が、頂部横折線３７，３８を介して連設されている。
【００２６】
また、上面部形成パネル３２，３３には、それぞれの中央に位置して吸い出し口４となる穴３９ａ，３９ｂが形成されており、穴３９ａ，３９ｂは上面部形成パネル３２，３３を重ねたとき穴３９ａと穴３９ｂの中心が一致するように開口している。そして、上面部形成パネル３３の裏面には、封止シート３が穴３９ｂを塞ぐように設けられており、取り出し手段９を構成する注出ポンプ９Ａの吸い込み管１８を突き刺すことにより破断できるようになっている。
【００２７】
封止シート３は、上面部形成パネル３３の裏面に貼付されて設けられてもよく、内容器５を構成する樹脂層を形成させた紙素材に積層された積層物と一体となって設けられてもよい。また、封止シート３は、不透水であり、かつ破断可能であれば、その材質や形体に特に限定されるものではない。封止シート３としては、樹脂膜、金属箔、紙、またはそれらの積層体が例示される。
【００２８】
上面部形成パネル３２，３３と側面パネル３５，３６とによる内容器５の上面部２の形成にあっては、胴部１９を形成した後、先ず、上面部形成パネル３３を内側へ折り、これに伴うように、側面パネル３５，３６を三角形状に内面側へ折り畳み、胴部１９の上側収納口を上面部形成パネル３３で塞ぐ。そして、上面部形成パネル３３の上端に連設されているシールパネル３４を上面部形成パネル３２の内面にＳ１の範囲でシールするとともに、上面部形成パネル３３の両側縁を三角形状に折り畳んだ側面パネル３５，３６をＳ２の範囲でシールする（図５参照。）。
【００２９】
次に、側面パネル３５，３６を外側（図５で示す矢印方向。）に折り畳むようにして上面部形成パネル３２を上面部形成パネル３３の上に重ね（図６参照。）、折り畳まれて胴部１９の外側へ突出した側面パネル３５，３６を下方（図６で示す矢印方向。）へ折り、胴部１９へ接着等により固定して上面部２が形成される。
【００３０】
また、内容器５の底面部４０にあっては、本例では次のように構成されている。
胴部パネル２４，２６の下端に、底部横折線４１，４２を介して互いに対向する一対の切妻屋根形底面形成パネル４３，４４が連設されている。切妻屋根形底面形成パネル４３，４４の下部には帯状の外側シールパネル４５，４６が連設されている。
また、胴部パネル２５，２７の下端に、底部横折線４７，４８を介して互いに対向する一対の妻壁形底面形成パネル４９，５０が連設されている。妻壁形底面形成パネル４９，５０の下部には外側シールパネル４５，４６よりも低い高さの帯状の内側シールパネル５１，５２が連設されている。
【００３１】
そして、切妻屋根形底面形成パネル４３，４４と妻壁形底面形成パネル４９，５０とによる底面部４０の形成にあっては、切妻屋根形底面形成パネル４３，４４間に妻壁形底面形成パネル４９，５０が折り込まれて、対向する外側シールパネル４５，４６の対向面同士がシールされるとともに、外側シールパネル４５，４６と内側シールパネル５１，５２との対向面同士および内側シールパネル５１，５２の対向面同士もまたシールされ、いわゆる逆ゲーブルトップ形の下向き四角錐形に形成されている（図２、図３参照。）。
【００３２】
このように構成された詰め替え容器１における蓋体８の筒壁部１４の内面と内容器５のいずれか一方或いは双方に、内容器５を収納した収納体７となる収納容器１０に蓋体８を嵌合したとき、蓋体８の筒壁部１４の内面と蓋体８内に収納される内容器５の胴部１９の外面とが接触する接触部６０が設けられている。
【００３３】
本例では、蓋体８の筒壁部１４の内面に接触部６０が設けられている。蓋体８の筒壁部１４の内面の接触部６０は、本例では縦方向に伸びる複数のリブ６１によって形成されている。リブ６１の高さは、内容器５の胴部１９外面に、所定の押す力を持って接触する高さに設定されている。
【００３４】
内容器５の胴部１９の外面に接触する蓋体８の筒壁部１４の内面に設けられた接触部６０の抵抗力は、次のようになっている。
蓋体８内に収納されている内容器５を蓋体８の開口部６２から引き出すときの接触部６０の抵抗力をＸ１とし、内容器５が自重で蓋体の開口部から落下しない下限抵抗力をＸ２とし、蓋体８に収容されている内容器５を内容物が消尽された状態で蓋体８の開口部６２から引き出し可能な上限抵抗力をＸ３としたとき、蓋体８内に収納されている内容器５を蓋体８の開口部６２から引き出すときの抵抗力Ｘ１が、下記の計算式の範囲内に設定されている。
Ｘ２≦Ｘ１≦Ｘ３
【００３５】
下限抵抗力Ｘ２は、内容物が消尽された状態の内容器５で算出されたものであってもよく、また、内容物が満杯に収容されている状態の内容器５で算出されたものであってもよい。
また、上限抵抗力Ｘ３は、蓋体８に収納されている内容器５を内容物が消尽された状態で、内容器５を蓋体８の開口部６２から無理なく引き出し可能な抵抗力として算出されたものであることが好ましい。無理なく引き出し可能な抵抗力とは、成人が、特に強い力を意識することなく、蓋体８に収納された内容器５を摘まんで容易に引き出せる程度の抵抗力をいう。
【００３６】
上限抵抗力Ｘ３は、次のように算出した。
＜抵抗力Ｘの評価＞
蓋体８の筒壁部１４の内面に設けた接触部６０となるリブ６１の高さを変更することにより、内容器５を蓋体８の開口部６２から引き出す際の抵抗力を変化させ、引き抜く際の抵抗感を官能で評価した。また、その際の抵抗力をプッシュプルゲージを用いて測定した。
官能評価基準
◎  非常に楽に引き出せる。
〇  無理なく引き出せる。
△  引き出せるが抵抗が強い。
×  引き出せない。
評価結果を表１に示す。
【表１】
2019055804.tif 000003
以上の結果から、無理なく引き出せる上限抵抗力Ｘ３を下記にように算出した。
上限抵抗力Ｘ３＝１．５ｋｇｆ
【００３７】
抵抗力Ｘ１、下限抵抗力Ｘ２、上限抵抗力Ｘ３の抵抗力のコントロールは、接触部６０において蓋体８の筒壁部１４と内容器５の胴部１９が互いに押す力、および接触部６０における摩擦係数をコントロールすることにより行われる。
【００３８】
本例では、接触部６０はリブ６１により形成しているが、これに限られない。例えば、蓋体８の筒壁部１４内面に、エンボス加工による突起（図示せず。）を形成して接触部６０としてもよく、或いは、図１０に示すように、蓋体８の筒壁部１４の一部を凹曲させて凹曲部６３を形成し、この凹曲部６３を接触部６０としてもよい。接触部６０における押す力のコントロールは、リブ６１またはエンボスまたは凹曲部６３等の高さ、形状、接触面積等によってコントロールする。
【００３９】
また、接触部６０における摩擦係数のコントロールは、蓋体８の筒壁部１４の内面の表面を加工し（例えば、マット、ミラー等。）、或いは、防滑剤等を塗布し、或いはゴム、シリコン等の層を設ける等によってコントロールする。
【００４０】
このように構成された詰め替え容器１における液状内容物の詰め替えは次のように行われる。
詰め替え容器１における液状内容物の詰め替え作業は、詰め替え容器１における収納体７となる収納容器１０への内容器５の収納作業と、収納容器１０へ収納した内容器５を収納容器１０から取り出す作業に分かれる。
【００４１】
収納容器１０への内容器５の収納作業にあっては、先ず、収納容器１０へ内容器５を収納する。
次に、内容器５を収納した収納容器１０の外周に蓋体８の筒壁部１４を嵌合し、収納容器１０の収納口６を閉じる。本例では、収納容器１０の収納口６を閉じる過程で、蓋体８の筒壁部１４の内面に設けられている接触部６０となるリブ６１が内容器５の胴部１９の外面に接触しながら閉じ方向へ移動する。
【００４２】
また、収納容器１０の収納口６を閉じる過程で、蓋体８の天板部１３の下面側に配置されている吸い込み管１８が収納容器１０内に収納されている内容器５の上面部２に有するフィルム３を破断して吸い出し口４から内容器５内へ挿入される。
【００４３】
このようにして、収納容器１０の収納口６が蓋体８で閉じられ、収納容器１０への内容器５の収納作業が完了する。このとき、収納容器１０へ収納された内容器５は、その胴部１９の外面が蓋体８の筒壁部１４の内面に設けられている接触部６０となるリブ６１と接触した状態にある（図７参照。）。
【００４４】
収納容器１０へ収納した内容器５内の液状内容物を消尽したら、収納容器１０から蓋体８を外し、収納容器１０から内容物を消尽した内容器５を取り出す。
この収納容器１０から内容器５を取り出す作業にあっては、蓋体８を引き上げる。
【００４５】
このとき、内容器５の胴部１９の外面に接触する蓋体８の筒壁部１４の内面に設けられた接触部６０の抵抗力は、蓋体８内に収納されている内容器５を蓋体８の開口部６２から引き出すときの接触部６０の抵抗力をＸ１とし、内容器５が自重で蓋体の開口部から落下しない下限抵抗力をＸ２とし、蓋体８に収容されている内容器５を内容物が消尽された状態で蓋体８の開口部８から引き出し可能な上限抵抗力をＸ３としたとき、蓋体８内に収納されている内容器５を蓋体８の開口部６２から引き出すときの抵抗力Ｘ１が、計算式Ｘ２≦Ｘ１≦Ｘ３の範囲内に設定されているので、内容器５を収納した収納容器１０から蓋体８を外したとき、蓋体８内に収納されている内容器５は蓋体８と一体となって収納容器１０から取り出され、蓋体８の開口部６２を下に向けても、内容器５は蓋体８から落下しない（図８参照。）。
【００４６】
そして、蓋体８からの内容器５の取り出しは、Ｘ１≦Ｘ３なので、蓋体８の開口部６２から露出している内容器５を摘まんで、蓋体８の開口部６２から確実に引き出すことができる（図９参照。）。
このようにして、収納容器１０へ収納した内容器５の取り出し作業は完了する。
【００４７】
なお、下限抵抗力Ｘ２が、内容物が消尽された状態の内容器５で算出されたものであると、内容物が消尽された後に収納容器１０から蓋体８を外したとき、蓋体８内に収納されている内容器５を蓋体８と一体として収納容器１０から確実に取り出すことができる。
【００４８】
また、下限抵抗力Ｘ２が、内容物が満杯に収容されている状態の内容器５で算出されたものであると、内容器５に内容物が満杯に収容されている状態で収納容器１０から蓋体８を外したとき、蓋体８内に収納されている内容器５を蓋体８と一体として収納容器１０から確実に取り出すことができる。
【００４９】
また、上限抵抗力Ｘ３が、蓋体８に収納されている内容器５を内容物が消尽された状態で、内容器５を蓋体８の開口部６２から無理なく引き出し可能な抵抗力として算出されたものであると、内容物が消尽された内容器５を蓋体８の開口部６２から容易に且つ確実に引き出すことができる。
【００５０】
なお、本例では、蓋体８の筒壁部１４の内面と蓋体８内に収納される内容器５の外面とが接触する接触部６０は、蓋体８の筒壁部１４の内面に接触部６０が設けられているが、図１１に例示するように、内容器５の胴部１９の外面周囲に環状突出部６４を形成して接触部６０としてもよく、或いは図１２に例示するように、内容器５の胴部１９の外面周囲に環状突出部６４を形成し、蓋体８の筒壁部１４の内面周囲に、環状突出部６４に接触する環状突出部６５を形成して接触部６０としてもよい。
【００５１】
また、蓋体８の筒壁部１４の内面と蓋体８内に収納される内容器５の外面とが接触する接触部６０は、蓋体８の筒壁部１４の内面に形成したリブ６１や、内容器５の胴部１９の外面周囲に形成した環状突出部６４や、内容器５の胴部１９の外面周囲に形成した環状突出部６４と蓋体８の筒壁部１４の内面周囲に形成した環状突出部６５といった突起によらないで、図示しないが、蓋体８の筒壁部１４の内面と容器５の外面を接触させて接触部６０とし、蓋体８の筒壁部１４と内容器５の材質だけで摩擦係数をコントロールすることで、抵抗力Ｘ１、下限抵抗力Ｘ２、上限抵抗力Ｘ３の抵抗力をコントロールするようにしてもよい。
【００５２】
また、本例では、収納体７は上部に収納口６を開口する筒状の収納容器１０となっているが、これに限られず、図１３に示すように、支持台部５６と、支持台部５６の上面に内容器５の胴部１９の外面に沿う複数の支持片５７を間隔を空けて立設した支持枠部５８からなり、支持枠部５８の内部に内容器５を収納する台座状に構成されていてもよい。
また、本例では、収納体７は内容器５を収納する収納口６が上部に開口しているが、これに限られるものではなく、横部に収納口６が開口しているものであってもよい。
【００５３】
また、本例では、内容器５は紙素材で成形されているが、これに限定されるものではなく、樹脂素材で成形されていてもよく、また胴部１９の形状にあっても、四角の筒状に限定されるものではなく、円筒状に形成されたものであってもよい。
また、本例では、取り出し手段９は蓋体８に取り付けられ、蓋体８と一体となっているが、蓋体８に取り付けられていなくてもよい。
【符号の説明】
【００５４】
１  詰め替え容器
２  上面部
３  封止シート
４  吸い出し口
５  内容器
６  収納口
７  収納体
８  蓋体
９  取り出し手段
９Ａ  注出ポンプ
１０  収納容器
１３  天板部
１４  筒壁部
１６  筒状シリンダ部
１７  注出ノズル
１８  吸い込み管
１９  胴部
２１，２２，２３  胴部縦折線
２４，２５，２６，２７  胴部パネル
２８  シール縦折線
２９  縦方向シールパネル
３０，３１  頂部横折線
３２，３３  上面部形成パネル
３４  シールパネル
３５，３６  側面パネル
３７，３８  頂部横折線
３９ａ，３９ｂ  穴
４０  底面部
４１，４２  底部横折線
４３，４４  切妻屋根形底面形成パネル
４５，４６  外側シールパネル
４７，４８  底部横折線
４９，５０  妻壁形底面形成パネル
５１，５２  内側シールパネル
５６  支持台部
５７  支持片
５８  支持枠部
６０  接触部
６１  リブ
６２  開口部
６３  凹曲部
６４、６５  環状突出部
【図１】
2019055804.tif 000004
【図２】
2019055804.tif 000005
【図３】
2019055804.tif 000006
【図４】
2019055804.tif 000007
【図５】
2019055804.tif 000008
【図６】
2019055804.tif 000009
【図７】
2019055804.tif 000010
【図８】
2019055804.tif 000011
【図９】
2019055804.tif 000012
【図１０】
2019055804.tif 000013
【図１１】
2019055804.tif 000014
【図１２】
2019055804.tif 000015
【図１３】
2019055804.tif 000016